【手続補正書】
【提出日】平成18年1月30日(2006.1.30)
【手続補正１】
【補正対象書類名】明細書
【補正対象項目名】特許請求の範囲
【補正方法】変更
【補正の内容】
【特許請求の範囲】
【請求項１】
光スポットの照射によって情報の記録・再生を行う光ディスクドライブ装置であり、光ディスク上のトラックに光束を追従させることによって、トラック上にウォブル記録された光ディスクの付帯情報を検出するドライブ装置に使用される付帯情報検出回路において、
ウォブル記録された付帯情報を検出する第１と第２の検出手段を具備し、
第１の検出手段は、トラック接線方向に分割された２つの受光素子の再生信号振幅が一定となるようにそれぞれゲイン調整した後、両信号の差から付帯情報を検出し、
第２の検出手段は、トラック接線方向に分割された２つの受光素子の差を２つの受光素子の和信号により正規化して検出し、
さらに、
前記第１と第２の検出手段の一方を選択する選択手段とを備えたことを特徴とする付帯情報検出回路。
【請求項２】
請求項１に記載の付帯情報検出回路と、
前記光ディスクの記録・未記録を判別する記録・未記録判別手段と、を備え、
前記光ディスクの未記録領域の再生時には、前記第２の検出手段で検出し、
前記光ディスクの既記録領域の再生時には、前記第１の検出手段でウォブル記録された付帯情報を検出することを特徴とする光ディスクドライブ装置。
【請求項３】
請求項１に記載の付帯情報検出回路を備え、
前記光ディスクの再生時には、前記第１の検出手段を選択して前記付帯情報を検出し、前記第1の検出手段による前記付帯情報を再生できない場合、前記第２の検出手段を選択して前記付帯情報を検出することを特徴とする光ディスクドライブ装置。
【請求項４】
請求項１に記載の付帯情報検出回路を備え、
前記光ディスクに対する情報の記録を行う場合、前記第２の検出手段を選択して前記付帯情報を検出することを特徴とする光ディスクドライブ装置。
【請求項５】
請求項４の光ディスクドライブ装置において、
ライトゲートによって記録中は、前記第２の検出手段を選択し、記録中以外は前記第１の検出手段を選択する手段を備え、
記録開始前までは、前記第１の検出手段によって付帯情報を検出し、ライトゲートを使用して、記録開始と同時にウォブル記録された付帯情報を前記第２の検出手段によって検出することを特徴とする光ディスクドライブ装置。
【請求項６】
光スポットの照射によって情報の記録・再生を行う光ディスクドライブ装置であり、光ディスク上のトラックに光束を追従させることによって、トラック上にウォブル記録された光ディスクの付帯情報を検出するドライブ装置において、
ディスクの種類を判別する種類判別手段と、付帯情報のサンプルホールド停止手段とを備え、ＣＤ−ＲＷディスクの記録時の付帯情報の検出には、サンプルホールドを停止してウォブル記録された付帯情報を検出することを特徴とする光ディスクドライブ装置。
【請求項７】
光スポットの照射によって情報の記録・再生を行う光ディスクドライブ装置であり、光ディスク上のトラックに光束を追従させることによって、トラック上にウォブル記録された光ディスクの付帯情報を検出するドライブ装置において、
前記トラック接線方向に分割された２つの受光素子と、
ディスクの種類を判別する種類判別手段とを備え、
前記種類判別手段によりディスクがＣＤ−ＲＷと判別された場合には、レーザパワーをライトパワーとリードパワーとの間でパルス状に変化させることにより情報を記録するとともに前記２つの受光素子からの信号の平均値から記録時の付帯情報を検出することを特徴とする光ディスクドライブ装置。
【手続補正２】
【補正対象書類名】明細書
【補正対象項目名】０００７
【補正方法】変更
【補正の内容】
【０００７】
【課題を解決するための手段】
請求項１の付帯情報検出回路では、光スポットの照射によって情報の記録・再生を行う光ディスクドライブ装置であり、光ディスク上のトラックに光束を追従させることによって、トラック上にウォブル記録された光ディスクの付帯情報を検出するドライブ装置に使用される付帯情報検出回路において、ウォブル記録された付帯情報を検出する第１と第２の検出手段を具備し、第１の検出手段は、トラック接線方向に分割された２つの受光素子の再生信号振幅が一定となるようにそれぞれゲイン調整した後、両信号の差から付帯情報を検出し、第２の検出手段は、トラック接線方向に分割された２つの受光素子の差を２つの受光素子の和信号により正規化して検出し、さらに、前記第１と第２の検出手段の一方を選択する選択手段とを設けている。
【手続補正３】
【補正対象書類名】明細書
【補正対象項目名】０００８
【補正方法】変更
【補正の内容】
【０００８】
請求項２の光ディスクドライブ装置は、請求項１に記載の付帯情報検出回路と、前記光ディスクの記録・未記録を判別する記録・未記録判別手段と、を備え、前記光ディスクの未記録領域の再生時には、前記第２の検出手段で検出し、前記光ディスクの既記録領域の再生時には、前記第１の検出手段でウォブル記録された付帯情報を検出する。
【手続補正４】
【補正対象書類名】明細書
【補正対象項目名】０００９
【補正方法】変更
【補正の内容】
【０００９】
請求項３の光ディスクドライブ装置は、請求項１に記載の付帯情報検出回路を備え、前記光ディスクの再生時には、前記第１の検出手段を選択して前記付帯情報を検出し、前記第1の検出手段による前記付帯情報を再生できない場合、前記第２の検出手段を選択して前記付帯情報を検出する。
【手続補正５】
【補正対象書類名】明細書
【補正対象項目名】００１０
【補正方法】変更
【補正の内容】
【００１０】
請求項４の光ディスクドライブ装置は、請求項１に記載の付帯情報検出回路を備え、前記光ディスクに対する情報の記録を行う場合、前記第２の検出手段を選択して前記付帯情報を検出する。

【手続補正６】
【補正対象書類名】明細書
【補正対象項目名】００１１
【補正方法】変更
【補正の内容】
【００１１】
請求項５の光ディスクドライブ装置は、請求項４の光ディスクドライブ装置において、ライトゲートによって記録中は、前記第２の検出手段を選択し、記録中以外は前記第１の検出手段を選択する手段を備え、記録開始前までは、前記第１の検出手段によって付帯情報を検出し、ライトゲートを使用して、記録開始と同時にウォブル記録された付帯情報を前記第２の検出手段によって検出する。
【手続補正７】
【補正対象書類名】明細書
【補正対象項目名】００２８
【補正方法】変更
【補正の内容】
【００２８】
この図３には、図１の光ディスク１が、記録済みであるか未記録であるかに応じて、第１の検出手段である第１のウォブル信号演算回路８ａと、第２の検出手段である第２のウォブル信号演算回路８ｂとを切り替える場合について示している。光ディスク１が未記録か記録済みかの判別は、記録・未記録判別手段１９で判別を行う（請求項２の発明）。この判別は、ＲＦ信号の有無によって正確に判定することができる。また、この場合の切り替え制御としては、ＣＤ−Ｒディスク、ＣＤ−ＲＷディスクの未記録領域の再生時には、第２の検出手段を選択して検出し、既記録領域の再生時には、第１の検出手段を選択して検出する（請求項２の発明）。なお、この第１の実施の形態では、ＣＤ−ＲディスクとＣＤ−ＲＷディスクの種類は判別しないが、メディア種類検出手段１８によれば、ＣＤ−Ｒディスクであるか、ＣＤ−ＲＷディスクであるかの種類判別も可能である（後出の第５の実施の形態で説明する請求項６の発明において使用される）。この種類の判別では、メディア種類検出手段１８は、ディスクの反射率を電気信号に変換した出力により、ＣＤ−Ｒディスクであるか、ＣＤ−ＲＷディスクであるかを検出する。すなわち、ＣＤ−Ｒディスクの反射率は６０％以上であるのに対し、ＣＤ−ＲＷディスクの反射率は１５％から２５％と、両者の間に明確な差異がある。そこで、この反射率を検出することによって、ＣＤ−ＲディスクとＣＤ−ＲＷディスクとの判別を行うことができる。